(57)【要約】【課題】  鉄骨製ユニット建物における間柱で非耐力部材のスタッドを木製で構成する場合のスタッドとユニット梁とを接合する木製スタッド用固定金具とそれを用いた建物ユニット及び建物を提供すること。【解決手段】  鋼製の天井梁１１ａと鋼製の床梁１１ｃとの間に木製スタッド２０ｍを取り付ける天井梁１１ａ側の固定金具３０ｂ，床梁１１ｃ側の固定金具３０ａであって、該固定金具３０ｂ，３０ａは前記木製スタッド２０ｍの側面と当接する部位３１ｂ，３１ａ（スタッド側面当接部）と、木製スタッドの端縁部に当接し位置出しする部位３６ｂ，３６ａ（スタッド端縁当接部）と、梁と当接する部位３５ｂ，３５ａ（梁当接部）とからなる。【選択図】図１
2004245036.tif 000002
【特許請求の範囲】
【請求項１】
鋼製の天井梁と鋼製の床梁との間に木製スタッドを取り付ける天井梁側又は床梁側の固定金具であって、該固定金具は前記木製スタッドの側面と当接する部位（スタッド側面当接部）と、木製スタッドの端縁部に当接し位置出しする部位（スタッド端縁当接部）と、梁と当接する部位（梁当接部）とからなることを特徴とする木製スタッド用固定金具。
【請求項２】
スタッド端縁当接部と梁当接部との間に、スタッドの外壁側側面の延長上に位置し、スタッドの外壁側側面に設けられる防水材を裏当てできる裏当て部が設けられたことを特徴とする請求項1記載の木製スタッド用固定金具。
【請求項３】
スタッド側面当接部の一部に内壁枠当接部を設けたことを特徴とする請求項1又は２記載の木製スタッド用固定金具。
【請求項４】
請求項1、2又は３記載の木製スタッド用固定金具を用いて木製スタッドが取付けられたことを特徴とする建物ユニット。
【請求項５】
請求項1、2又は３記載の木製スタッド用固定金具を用いて建物の骨格を構成する柱の間に木製スタッドが取付けられたことを特徴とする建物。
【発明の詳細な説明】
【技術分野】
【０００１】
この発明は、鉄骨製建物における間柱で非耐力部材のスタッドを木製で構成する場合のスタッドと梁とを接合する木製スタッド用固定金具とそれを用いた建物ユニット及び建物に関するものである。
【背景技術】
【０００２】
ユニット住宅などの鉄骨製ユニット建物をはじめとする各種の建築物において、建物ユニットの骨格を構成する柱の間にスタッド（間柱）を立設し、このスタッドに外壁パネルをリベットによって取り付け、前記スタッドに取り付けた木レンガに内壁パネルを釘打ちによって取り付けるようにしたものがある（特許文献１）。
【０００３】
前記スタッドは、前述の建物ユニットの骨格を構成する柱が受ける風圧力などの外荷重の一部を受けるため、所要の強度をもった形鋼とされている。そして、前記柱のすぐ横に立設されるスタッドは、前記柱までの距離が短い分だけ外荷重によるモーメントが小さいので、他のスタッドの断面形状が略ロ字状とされているのに対して略Ｌ字状とされて、軽量化などが図られている。
【０００４】
このような鋼製スタッドは、上下の端部をボルトによって建物ユニットの梁に取り付けられるようになっている。
【特許文献１】特開平８−６０７６５号公報
【発明の開示】
【発明が解決しようとする課題】
【０００５】
しかしながら、上記のような鋼製スタッドは冷橋になりやすく断熱性に劣り、またコスト的に木製に比べ高いという不具合があった。
【０００６】
この発明は、このような実情を背景としてなされたもので、建物の骨格を構成する柱の間に立設するスタッドを鋼製から木製に変更する為、木製スタッドと建物の梁とを接合する固定金具及びそれを用いた建物ユニット及び建物を提供することを目的とするものである。
【課題を解決するための手段】
【０００７】
上記の目的を達成するため、請求項１又は２に記載の発明は、鋼製の天井梁と鋼製の床梁との間に木製スタッドを取り付ける天井梁側又は床梁側の固定金具であって、該固定金具は前記木製スタッドの側面と当接する部位（スタッド側面当接部）と、木製スタッドの端縁部に当接し位置出しする部位（スタッド端縁当接部）と、梁と当接する部位（梁当接部）とからなる木製スタッド用固定金具であることを特徴としている。
【０００８】
また、請求項２に記載の発明は、請求項1記載の木製スタッド用固定金具であって、スタッド端縁当接部と梁当接部との間に、スタッドの外壁側側面の延長上に位置し、スタッドの外壁側側面に設けられる防水材を裏当てできる裏当て部が設けられた木製スタッド用固定金具であることを特徴としている。
【０００９】
また、請求項３に記載の発明は、請求項1又は２記載の木製スタッド用固定金具であって、スタッド側面当接部の一部に、内壁枠当接部を設けたことを特徴としている。
【００１０】
そして、請求項４に記載の発明は、請求項1、2又は３記載の木製スタッド用固定金具を用いて木製スタッドが取り付けられた建物ユニットであることを特徴としている。
【００１１】
そして、請求項５に記載の発明は、請求項1、2又は３記載の木製スタッド用固定金具を用いて建物の骨格を構成する柱の間に木製スタッドが取り付けられた建物であることを特徴としている。
【００１２】
（作用）
請求項１に記載の発明によれば、鋼製の天井梁と鋼製の床梁との間に木製スタッドを取り付ける天井梁側又は床梁側の固定金具であって、該固定金具は前記木製スタッドの側面と当接する部位（スタッド側面当接部）と、木製スタッドの端縁部に当接し位置出しする部位（スタッド端縁当接部）と、梁と当接する部位（梁当接部）とからなるので、木製スタッドを固定金具のスタッド側面当接部とスタッド端縁当接部の2面に当接させて位置決めできるので、位置合わせと固定作業が容易である。スタッド側面当接部はスタッド取付時には露出しており、木製スタッドの固定に供するのに好適である。これによって、木製スタッドの取付精度及び取付作業効率を向上させることができる。
【００１３】
そして、請求項２に記載の発明によれば、スタッド端縁当接部と梁当接部との間に、スタッドの外壁側側面の延長上に位置し、スタッドの外壁側側面に設けられる防水材を裏当てできる裏当て部が設けられ、防水材の貼り付けが容易にできる。これによって、外壁パネルの端縁部に形成される目地を防水する防水材が、木製スタッドの上端側又は下端側に入り込まず、前記木製スタッド用固定金具と前記外壁パネルとの間に配設できるので、外壁パネル取付作業時に、外壁パネル面の防水処理を併合しておこなうことができ、作業時間、作業工数の低減を図ることができる。
【００１４】
そして、請求項３に記載の発明によれば、スタッド側面当接部の一部に、内壁枠部位置決め当接部を設けているので、当接部に内壁の枠部を突き当てることで内壁の前後の出入り精度を上げ、外観向上と作業時間、作業工数の低減を図ることができる。
【００１５】
そして、請求項４記載の発明によれば、請求項１、2又は３記載の木製スタッド用固定金具を用いて木製スタッドが取り付けられた建物ユニットであるので、断熱性に優れた、低コストの建物ユニットが得られる。
【００１６】
そして、請求項５に記載の発明によれば、請求項１、2又は３記載の木製スタッド用固定金具を用いて建物の骨格を構成する柱の間に木製スタッドが取り付けられた建物であるので、断熱性に優れた、低コストの建物が得られる。
【発明の効果】
【００１７】
以上説明したように、請求項１に記載の発明によれば、鋼製の天井梁と鋼製の床梁との間に木製スタッドを取り付ける天井梁側又は床梁側の固定金具であって固定金具は前記木製スタッドの側面と当接する部位（スタッド側面当接部）と、木製スタッドの端縁部に当接し位置出しする部位（スタッド端縁当接部）と、梁と当接する部位（梁当接部）とからなるので、木製スタッドを固定金具のスタッド側面当接部とスタッド端縁当接部の2面に当接させて位置決めできるので、位置合せと固定作業が容易である。スタッド側面当接部はスタッド取付時には露出しており、木製スタッドの固定に供するのに好適である。これによって、木製スタッドの取付精度及び取付作業を向上させることができる。
【００１８】
そして、請求項２に記載の発明によれば、スタッド端縁当接部と梁当接部との間に、スタッドの外壁側側面の延長上に位置し、スタッドの外壁側側面に設けられる防水材を裏当てできる裏当て部が設けられ、防水材の貼り付けが容易にできる。これによって、外壁パネルの端縁部に形成される目地を防水する防水材が、木製スタッドの上端側又は下端側に入り込まず、前記木製スタッド用固定金具と前記外壁パネルとの間に配設できるので、外壁パネル取付作業時に、外壁パネル面の防水処理を併合しておこなうことができ、作業時間、作業工数の低減を図ることができる。
【００１９】
そして、請求項３に記載の発明によれば、スタッド側面当接部の一部に、内壁枠当接部を設けているので、その内壁枠当接部に内壁の枠部を突き当てることで内壁の前後方向の出入り位置精度を上げ、外観向上と作業時間、作業工数の低減を図ることができる。
【００２０】
そして、請求項４記載の発明によれば、請求項1、2又は３記載の木製スタッド用固定金具を用いて木製スタッドが取り付けられた建物ユニットであるので、断熱性に優れた、低コストの建物ユニットが得られる。
【００２１】
そして、請求項５に記載の発明によれば、請求項1、2又は３記載の木製スタッド用固定金具を用いて建物の骨格を構成する柱の間に木製スタッドが取り付けられた建物であるので、断熱性に優れた、低コストの建物が得られる。
【発明を実施するための最良の形態】
【００２２】
以下、本発明の具体的な実施の形態について、図面を参照しつつ説明する。
【実施例１】
【００２３】
図１（イ）は建物ユニットの骨格を示す斜視図、図１（ロ）は、木製スタッドの取付状態を示す正面図、図１（ハ）は、木製スタッドの取付状態を示す側面図、図１（ニ）は天井用固定金具の取付状態を示す斜視図、図１（ホ）は天井用固定金具の斜視図、図１（ヘ）は床用固定金具の取付状態を示す斜視図、図１（ト）は床用固定金具の斜視図である。
【００２４】
図１（イ）において、１は建物ユニットで、この建物ユニット１には４本の鋼製の柱１２が立設され、これらの柱１２の上端部および下端部間に８本の鋼製の梁１１（１１ａ，１１ｂ，１１ｃ，１１ｄ）が架け渡されて骨格が構成されている。建物ユニット１の一側面の柱１２、１２の間には、５本の木製のスタッド（間柱）２０が等間隔で立設されるようになっている。柱１２は角鋼管、梁１１は溝型鋼で構成され、骨格はボックスラーメン構造になされている。
そして、建物ユニットを複数、水平方向、上下方向に隣接配置してユニット建物を構成する。
【００２５】
図１（ロ）、（ハ）、（ニ）、（ホ）、（ヘ）、（ト）において、２０ｍは断面３８ｍｍ×１２８．５ｍｍで長さ２３２２±１ｍｍの木製スタッドである。そして、床梁１１ｃと木製スタッド２０ｍとの間を固定する床梁用固定金具３０ａ（木製スタッド用固定金具３０）及び天井梁１１ａと木製スタッド２０ｍとを固定する天井梁用固定金具３０ｂ（木製スタッド用固定金具３０）が取り付けられている。木製スタッド用固定金具３０取付後のスタッド２０全体の上下長さは、天井梁下面と床梁上面との間の長さと同じ２４６８±１ｍｍである。
【００２６】
木製スタッド２０ｍの下端は床梁用固定金具３０ａ（木製スタッド用固定金具）が取り付けられている。床梁用固定金具３０ａは木製スタッド側面当接板部（スタッド側面当接部）３１ａと、防水材裏当て板部（裏当て部３２）３２ａと、床梁当接板部（梁当接部３５）３５ａと、木製スタッド端縁当接板部（スタッド端縁当接部３６）３６ａとを備えている。
そして、垂直に設けられる木製スタッド側面当接板部３１ａは板状で、防水材裏当て板部３２ａより上下寸法が大きく、スタッド側面当接板部３１ａの木製スタッド端縁当接板部３６ａより上の部分には４つの木製スタッド取り付け穴３３ａが形成されている。木製スタッド端縁当接板部３６ａ上面は木製スタッド端縁当接部３６ａ´とされている。床梁用固定金具３０ａの下端は床梁当接板部３５ａまである。床梁当接板部３５ａ下面は床梁当接部３５ａ´とされている。
【００２７】
また、水平に設けられる床梁当接板部３５ａは木製スタッド側面当接板部３１ａの下端で９０度に折り曲げられ，木製スタッド側面当接板部３１ａと床梁当接板部３５ａとでＬ字状になされている。
また、垂直に設けられる防水材裏当て板部３２ａは幅６４±１ｍｍ×長さ７８ｍｍの板状で、床梁当接板部３５ａから立上がり、木製スタッド２０ｍの外壁側側面に外壁と平行な面に設けられている。
また、水平に設けられる木製スタッド端縁当接板部３６ａは防水材裏当て板部３２ａの上端から９０度折り曲げられている。つまり木製スタッド端縁当接板部３６ａと床梁当接板部３５ａと防水材裏当て板部３２ａとでコの字状になされている。
【００２８】
また、床梁用固定金具３０ａの木製スタッド端縁当接部３６ａ´と床梁当接部３５ａ´との間に位置する裏当て板部３２ａは、木製スタッド２０ｍの外壁側側面（幅３８ｍｍ側）の延長上に位置し、木製スタッド２０ｍの外壁側側面に設けられる防水材を裏当てできる裏当て部３２ａ´であり、防水材の裏当て部位である。
また、床梁用固定金具３０ａの床梁当接板部３５ａの中央には床梁１１ｃとの間をボルト（不図示）で締結する締結穴３４ａを有する。
【００２９】
木製スタッド２０ｍの下端は，床梁用固定金具３０ａの木製スタッド端縁当接部３６ａ´に当接して位置合わせ（位置出し）されている。木製スタッド２０ｍの側面と木製スタッド側面当接板部３１ａとは当接しており、床梁用固定金具３０ａは４つの取り付け穴３３ａから木ネジ３３により木製スタッド２０ｍに取り付けられている。
【００３０】
この木製スタッド２０ｍの上端には天井梁用固定金具３０ｂ（木製スタッド用固定金具）が取り付けられている。
天井梁用固定金具３０ｂは木製スタッド側面当接板部（スタッド側面当接部）３１ｂと、木製スタッド端縁当接板部（スタッド端縁当接部３６）３６ｂを兼ねる防水材裏当て板部（裏当て部３２）３２ｂと、天井梁当接板部（梁当接部３５）３５ｂとを備えている。
【００３１】
そして、垂直に設けられる木製スタッド側面当接板部３１ｂは板状で、防水材裏当て板部３２ｂより上下寸法が大きく、木製スタッド側面当接板部３１ｂの防水材裏当て板部３２ｂより下の部分には４つの木製スタッド取り付け穴３３ｂが形成されている。天井梁当接板部３５ｂ上面は天井梁当接部３５とされている。天井梁用固定金具３０ｂの上端は天井梁当接板部３５ｂまである。
また、水平に設けられる天井梁当接板部３５ｂは木製スタッド側面当接板部３１ｂの上端で９０度に折り曲げられ、木製スタッド側面当接板部３１ｂと天井梁当接板部３５ｂとは垂直断面形状がＬ字状になされている。
また、垂直に設けられる防水材裏当て板部３２ｂは幅３８±１ｍｍ×長さ６８ｍｍの板状で、天井梁当接板部３５ｂから下方に、木製スタッド２０ｍの外壁側側面に平行な面に設けられている。
また、防水材裏当て板部３２ｂの下端部が木製スタッド端縁当接部３６になされている。
【００３２】
また、天井梁用固定金具３０ｂの木製スタッド端縁当接部３６ｂ’と天井梁当接部３５ｂ´との間に位置する裏当て板部３２ｂは、木製スタッド２０ｍの外壁側側面（幅３８ｍｍ側）の延長上に位置し、木製スタッド２０ｍの外壁側側面に設けられる防水材を裏当てできる裏当て部３２であり、防水材の裏当て部位である。また、天井梁用固定金具３０ｂの天井梁当接板部３５ｂの中央には天井梁１１ａとの間をボルト（不図示）で締結する締結穴３４ｂを有する。
【００３３】
木製スタッド２０ｍの上端は、天井梁用固定金具３０ｂの木製スタッド端縁当接部３６ｂ´に当接して位置合わせ（位置出し）されている。木製スタッド２０ｍの側面と木製スタッド側面当接板部３１ｂとは当接しており、天井梁用固定金具３０ｂは４つの取り付け穴３３ｂから木ネジ３３により木製スタッド２０ｍに取り付けられている。
【００３４】
そして木製スタッド２０ｍの下端では、鋼製の床梁１１ｃの上フランジと床梁当接板部３５ａとが床梁当接板部３５ａの締結穴３４ａにより不図示のボルトにより締結される。
同様に木製スタッド２０ｍの上端では、鋼製の天井梁１１ａの下フランジと天井梁当接板部３５ｂとが天井梁当接板部３５ｂの締結穴３４ｂにより不図示のボルトにより締結される。
【００３５】
図２は木製スタッド用固定金具のＶＥ（Ｖａｌｕｅ Ｅｎｇｉｎｅｅｒｉｎｇ）に基づく各種形状を示し、（イ）、（ロ）、（ハ）は床梁用固定金具の斜視図、（ニ）は天井梁用固定金具の斜視図である。
【００３６】
図２（イ）において、床梁用固定金具３０ｃは形状は異なるが、上記床梁用固定金具３０ａと機能は同様である。即ち、床梁用固定金具３０ｃは木製スタッド側面当接板部３１ｃと、防水材裏当て板部３２ｃと、床梁当接板部３５ｃと、木製スタッド端縁当接板部３６ｃとを備えている。
【００３７】
そして、垂直に設けられる木製スタッド側面当接板部３１ｃは板状で、4つの木製スタッド取り付け穴３３ｃを有し、下端は床梁当接板部３５ｃまである。また、床梁当接板部３５ｃは木製スタッド側面当接板部３１ｃの下端で９０度に折り曲げられ、木製スタッド側面当接板部３１ｃと床梁当接板部３５ｃとでＬ字状になされている。また、防水材裏当て板部３２ｃは幅３８±１ｍｍ×長さ７８ｍｍの板状で床梁当接板部３５ｃから立上がり、木製スタッド２０ｍの外壁側側面に外壁と平行な面に設けられている。また、木製スタッド端縁当接板部３６ｃは木製スタッド側面当接板部３１ｃの上端から１１７ｍｍ下方で木製スタッド側面当接板部３１ｃの幅（９７±１ｍｍ）の内、幅３５ｍｍ×長さ３８±１ｍｍを９０度折り曲げられて３１ｃ上部と３６ｃとでＬ字状になされている。
また、床梁用固定金具３０ｃの床梁当接板部３５ｃの中央には床梁１１ｃとの間をボルト（不図示）で締結する締結穴３４ｃを有する。
【００３８】
また、防水材裏当て板部３２ｃ、床梁当接板部３５ｃ、木製スタッド端縁当接板部３６ｃの木製スタッド側面当接板部３１ｃからの長さは床梁当接板部３５ｃが大きく、床梁当接板部３５ｃは防水材裏当て板部３２ｃより突出している。また、床梁当接板部３５ｃと木製スタッド端縁当接板部３６ｃとは平行であるが向かい合ってはいない。また、防水材裏当て板部３２ｃと木製スタッド端縁当接板部３６ｃとは、床梁当接板部３５ｃの木製スタッド側面当接板部３１ｃ側の幅４０ｍｍの長さ分、離れている。
【００３９】
図２（ロ）において、床梁用固定金具３０ｄは形状は異なるが、上記床梁用固定金具３０ａと機能は同様である。即ち、床梁用固定金具３０ｄは木製スタッド側面当接板部３１ｄと、防水材裏当て板部３２ｄと、床梁当接板部３５ｄと、木製スタッド端縁当接板部３６ｄとを備えている。
【００４０】
そして、木製スタッド側面当接板部３１ｄは板状で、4つの木製スタッド取り付け穴３３ｄを有し、下端は床梁当接板部３５ｄまである。また、床梁当接板部３５ｄは板状で木製スタッド側面当接板部３１ｄの下端で９０度に折り曲げられ、木製スタッド側面当接板部３１ｄと床梁当接板部３５ｄとでＬ字状になされている。また、防水材裏当て板部３２ｄは幅３８±１ｍｍ×長さ７８ｍｍの板状で床梁当接板部３５ｄから立上がり、木製スタッド２０ｍの外壁側側面に外壁と平行な面に設けられている。また、木製スタッド端縁当接板部３６ｄは防水材裏当て板部３２ｄの上端から９０度折り曲げられて、床梁当接板部３５ｄと防水材裏当て板部３２ｄと木製スタッド端縁当接板部３６ｄとでコの字状になされている。また、床梁用固定金具３０ｄの床梁当接板部３５ｄの中央には床梁１１ｃとの間をボルト（不図示）で締結する締結穴３４ｄを有する。
【００４１】
そして、床梁用固定金具３０ｄは床梁用固定金具３０ａと比較すると、防水材裏当て板部３２ａ、木製スタッド端縁当接板部３６ａ、床梁当接板部３５ａの部位は類似しており、木製スタッド側面当接板部３１ａの木製スタッド端縁当接板部３６ａより下部の形状が斜めに狭幅に形成されているが、木製スタッド側面当接板部３１ｄの木製スタッド端縁当接板部３６ｄより下部は上部の約半分の幅の長方形状に形成されている。また、床梁用固定金具３０ｃと比較すると、木製スタッド側面当接板部３１ｃ、防水材裏当て板部３２ｃ及び床梁当接板部３５ｃと、木製スタッド側面当接板部３１ｄ、防水材裏当て板部３２ｄ及び床梁当接板部３５ｄとは同一形状であり、木製スタッド端縁当接板部３６ｃが防水材裏当て板部３２ｃと離れて設けられているが、木製スタッド端縁当接板部３６ｄが防水材裏当て板部３２ｄと連続して９０度折り曲げられて設けられている点が異なる。
【００４２】
図２（ハ）において、床梁用固定金具３０ｅは形状は異なるが、上記床梁用固定金具３０ａと機能は同様である。即ち、床梁用固定金具３０ｅは木製スタッド側面当接板部３１ｅと、防水材裏当て板部３２ｅと、床梁当接板部３５ｅと、木製スタッド端縁当接板部３６ｅとを備えている。
【００４３】
そして、木製スタッド側面当接板部３１ｅは板状で、4つの木製スタッド取り付け穴３３ｅを有し、下端は床梁当接板部３５ｅまである。また、床梁当接板部３５ｅは板状で木製スタッド側面当接板部３１ｅの下端で９０度に折り曲げられ、木製スタッド側面当接板部３１ｅと床梁当接板部３５ｅとでＬ字状になされている。また、防水材裏当て板部３２ｅは幅３８±１ｍｍ×長さ７８ｍｍの板状で床梁当接板部３５ｅから立上がり、木製スタッド２０ｍの外壁側側面に外壁と平行な面に設けられている。また、木製スタッド端縁当接板部３６ｅは木製スタッド側面当接板部３１ｅの上端から１１７ｍｍ下方で木製スタッド側面当接板部３１ｅの幅（９７±１ｍｍ）の中央部分の一端を残して幅３５ｍｍ×長さ３８±１ｍｍにくり抜いて９０度折り曲げて形成されている。また、床梁用固定金具３０ｅの床梁当接板部３５ｅの中央には床梁１１ｃとの間をボルト（不図示）で締結する締結穴３４ｅを有する。
【００４４】
そして、床梁用固定金具３０ｅは床梁用固定金具３０ｃと比較すると、木製スタッド側面当接板部３１ｃ、防水材裏当て板部３２ｃ及び床梁当接板部３５ｃと、木製スタッド側面当接板部３１ｅ、防水材裏当て板部３２ｅ及び床梁当接板部３５ｅとは同一形状であり、木製スタッド端縁当接板部３６ｃが防水材裏当て板部３２ｃと離れて設けられているが、木製スタッド端縁当接板部３６ｅが木製スタッド側面当接板部３１ｅの一部をくり抜いて設けられている点が異なる。
【００４５】
図２（ニ）において、天井梁用固定金具３０ｆは形状は異なるが、上記天井梁用固定金具３０ｂと機能は同様である。即ち、天井梁用固定金具３０ｆは木製スタッド側面当接板部３１ｆと、防水材裏当て板部３２ｆと、天井梁当接板部３５ｆと、木製スタッド端縁当接板部３６ｆとを備えている。
【００４６】
そして、垂直に設けられる木製スタッド側面当接板部３１ｆは板状で、防水材裏当て板部３２ｆより上下寸法が大きく、木製スタッド側面当接板部３１ｆの防水材裏当て板部３２ｆより下の部分には、４つの木製スタッド取り付け穴３３ｆが形成されている。天井梁当接板部３５ｆ上面は天井梁当接部３５ｆ´とされている。天井梁用固定金具３０ｆの上端は天井梁当接板部３５ｆまである。また、水平に設けられる天井梁当接板部３５ｆは板状で木製スタッド側面当接板部３１ｆの上端で９０度に折り曲げられ、木製スタッド側面当接板部３１ｆと天井梁当接板部３５ｆとでＬ字状になされている。また、垂直に設けられる防水材裏当て板部３２ｆは幅３８±１ｍｍ×長さ６８ｍｍの板状で天井梁当接板部３５ｆから下方に、木製スタッド２０ｍの外壁側側面に外壁と平行な面に設けられている。そして、防水材裏当て板部３２ｆの下端部が木製スタッド端縁当接部３６ｆ´になされている。
また、天井梁用固定金具３０ｆの天井梁当接板部３５ｆの中央には天井梁１１ａとの間をボルト（不図示）で締結する締結穴３４ｆを有する。
【００４７】
そして、天井梁用固定金具３０ｆは天井梁用固定金具３０ｂと比較すると、防水材裏当て板部３２ｂ、床梁当接板部３５ｂ及び木製スタッド端縁当接部３６ｂ´と、防水材裏当て板部３２ｆ、床梁当接板部３５ｆ及び木製スタッド端縁当接部３６ｆ´とは同一形状であり、木製スタッド側面当接板部３１ｂの木製スタッド端縁当接部３６ｂ´より上部の形状が斜めに狭幅に形成されているが、木製スタッド側面当接板部３１ｆの木製スタッド端縁当接部３６ｆ´より上部は下部の約半分の幅の長方形状に形成されている点が異なる。
【００４８】
以上に説明した床用固定金具３０ｃ，３０ｄ，３０ｅ及び天井用固定金具３０ｆは上記床用固定金具３０ａ，及び天井用固定金具３０ｂと同様に木製スタッド２０と鋼製の床梁１１ｃ，１１ｄ及び鋼製の天井梁１１ａ，１１ｂとの間の固定金具として好適に用いられる。
【００４９】
図３は木製スタッドの外側に防水材及び外壁パネルが取り付けられる状態を示す説明図である。
図３において、木製スタッド２０ｍの外側（外壁側）に防水材４０及び外壁パネル５０が取り付けられる。防水材裏当て部３２ａは木製スタッド２０ｍの断面短辺となる外壁側面２１ｍの延長上に位置しているので、木製スタッド２０ｍの外壁側側面に設けられる固定金具３０ａの防水材裏当て部３２ａ´に防水材４０を容易に取り付けることができる。この防水材裏当て部３２ａ´の外側に防水材４０と、更に外側に外壁パネル５０の端縁裏面がきて、防水材裏当て部３２ａ´により防水材４０は外壁パネル５０の裏面に押し付けられるので、図示しない他の外壁パネル５０との間を、図示しない目地によりシールされる。そして目地から入ろうとする水分は防水材４０により遮断されて木製スタッド２０ｍに到達せず、防水性が確保される。
【実施例２】
【００５０】
次に図１、図４、図５、図６において実施の形態の一例について説明する。図１の建物ユニットは実施例１と同様である。図４の（イ）と（ロ）は、スタッド２１の正面図と側面図であり、（ハ）と（ニ）は天井梁用固定金具３０ｈと、床梁用固定金具３０ｇを説明する斜視図である。
図４において、２１ｍは実施例１と同様の木製スタッドである。そして、床梁１１ｃと木製スタッド２１ｍとの間を固定する床梁用固定金具３０ｇ（木製スタッド用固定金具３０）及び天井梁１１ａと木製スタッド２１ｍとを固定する天井梁用固定金具３０ｈ（木製スタッド用固定金具３０）が取り付けられている。木製スタッド用固定金具３０取付後のスタッド２１全体の上下長さは、天井梁下面と床梁上面との間の長さと同じ２４６８±１ｍｍである。
【００５１】
木製スタッド２１ｍの下端は床梁用固定金具３０ｇ（木製スタッド用固定金具）が取り付けられている。床梁用固定金具３０ｇは木製スタッド側面当接板部（スタッド側面当接部）３１ｇと、防水材裏当て板部（裏当て部３２）３２ｇと、床梁当接板部（梁当接部３５）３５ｇと、木製スタッド端縁当接板部（スタッド端縁当接部３６）３６ｇと、内壁枠部の位置決め当接部（内壁枠当接部）３７ｇと内壁枠取り付け部３８ｇを備えている。
そして、垂直に設けられる木製スタッド側面当接板部３１ｇは板状で、防水材裏当て板部３２ｇより上下寸法が大きく、木製スタッド側面当接板部３１ｇの下部の外壁側から内壁側にわたる向きの幅寸法(図４（ロ）の面）は、床梁当接板部３５ｇ及び木製スタッド端縁当接板部３６ｇの外壁側から内壁側にわたる向きの幅寸法(図４（ロ）の面）以上で、木製スタッド２１ｍの幅と同じである。そして木製スタッド側面当接板部３１ｇの木製スタッド端縁当接板部３６ｇより上の部分には４つの木製スタッド取り付け穴３３ｇが形成されている。木製スタッド端縁当接板部３６ｇの上面は木製スタッド端縁当接部３６ｇ´とされている。床梁用固定金具３０ｇの下端は床梁当接板部３５ｇまである。床梁当接板部３５ｇの下面は床梁当接部３５ｇ´とされている。
【００５２】
また、水平に設けられる床梁当接板部３５ｇは木製スタッド側面当接板部３１ｇの下端で９０度に折り曲げられ，木製スタッド側面当接板部３１ｇと床梁当接板部３５ｇとでＬ字状になされている。
また、垂直に設けられる防水材裏当て板部３２ｇは幅６４±１ｍｍ×長さ７８ｍｍの板状で、床梁当接板部３５ｇから立上がり、木製スタッド２１ｍの外壁側側面に外壁と平行な面に設けられている。
また、水平に設けられる木製スタッド端縁当接板部３６ｇは防水材裏当て板部３２ｇの上端から９０度折り曲げられている。つまり床梁当接板部３５ｇと防水材裏当て板部３２ｇと木製スタッド端縁当接板部３６ｇとでコの字状になされている。
【００５３】
また、床梁用固定金具３０ｇの木製スタッド端縁当接部３６ｇ´と床梁当接部３５ｇ´との間に位置する裏当て板部３２ｇは、木製スタッド２１ｍの外壁側側面（幅３８ｍｍ側）の延長上に位置し、木製スタッド２１ｍの外壁側側面に設けられる防水材を裏当てできる裏当て部３２ｇ´であり、防水材の裏当て部位である。
次に木製スタッド側面当接板部３１ｇに設けられる内壁枠当接部３７ｇについて、説明する。
【００５４】
まず、木製スタッド側面当接板部３１ｇに設けられる内壁枠当接部３７ｇは木製スタッド側面当接板部３１ｇの内壁側端で上端から１１７ｍｍ±１ｍｍ下方の位置を始点にして、水平方向外壁側に４４ｍｍ±１ｍｍ進み、次に、垂直に下方向に３８ｍｍ±１ｍｍ進んだ切り欠き部に設けられる。さらにそこから水平方向外壁側に２２．５ｍｍ±１ｍｍ進み、そして最後にそこから垂直に下方向に４０ｍｍ±１ｍｍ進み、下端に至る切り欠きが設けられる。つまり２段の階段状切り欠きが設けられ１段目の垂直部分が内壁枠当接部３７ｇとされている。そして1段目の水平部分からは幅４４ｍｍ±１ｍｍ×長さ３８ｍｍ±１ｍｍの板状の内壁枠取り付け部３８ｇが水平方向に立上がり、木製スタッド側面当接板部３１ｇの上部とでＬ字状になされ、また内壁枠取り付け部３８ｇには内壁固定用ビス穴が設けられている。また、床梁用固定金具３０ｇの床梁当接板部３５ｇの中央には床梁１１ｃとの間をボルト（不図示）で締結する締結穴３４ｇを有する。３８ｇは木製スタッドとは３１ｇを挟んで反対側つまり、３２、３５、３６と反対側にある
【００５５】
木製スタッド２１ｍの下端は，床梁用固定金具３０ｇの木製スタッド端縁当接部３６ｇ´に当接して位置合わせ（位置出し）されている。木製スタッド２１ｍの側面と木製スタッド側面当接板部３１ｇとは当接しており、床梁用固定金具３０ｇは４つの取り付け穴３３ｇから木ネジ３３により木製スタッド２１ｍに取り付けられている。
【００５６】
この木製スタッド２１ｍの上端には天井梁用固定金具３０ｈ（木製スタッド用固定金具）が取り付けられている。
天井梁用固定金具３０ｈは木製スタッド側面当接板部（スタッド側面当接部）３１ｈと、木製スタッド端縁当接板部（スタッド端縁当接部）３２ｈを兼ねる防水材裏当て板部（裏当て部）３２ｈと、天井梁当接板部（梁当接部）３５ｈと、内壁枠部位置決め当接部（内壁枠当接部）３７ｈと内壁枠取り付け部３８ｈを備えている。
【００５７】
そして、垂直に設けられる木製スタッド側面当接板部３１ｈは板状で、防水材裏当て板部３２ｈより上下寸法が大きく、１８５ｍｍ±１ｍｍあり、木製スタッド側面当接板部３１ｈの防水材裏当て板部３２ｈより下の部分には４つの木製スタッド取り付け穴３３ｈが形成されている。天井梁当接板部３５ｈ上面は天井梁当接部３５ｈ´とされている。３０ｈの上端は天井梁当接板部３５ｈまである。
また、水平に設けられる天井梁当接板部３５ｈは略長方形で、長辺の中央部分が木製スタッドの中央部と概略一致するよう、中央から１９ｍｍずらした位置で３１ｈと３５ｈとが溶接される。すなわち木製スタッド側面当接板部３１ｈと天井梁当接板部３５ｈとでＴ字状になされている。
また、垂直に設けられる防水材裏当て板部３２ｈは幅３８±１ｍｍ×長さ６８ｍｍの板状で、天井梁当接板部３５ｈから下方に、木製スタッド２１ｍの外壁側側面に外壁と平行な面に設けられている。また、防水材裏当て板部３２ｈの下端部が木製スタッド端縁当接部３６’、３６ｈ’になされている。
【００５８】
まず、木製スタッド側面当接板部３１ｈに設けられる内壁枠当接部３７ｈは、木製スタッド側面当接板部３１ｈの内壁側端で下端から１１７ｍｍ±１ｍｍ上方の位置を始点にして、水平方向外壁側に４４ｍｍ±１ｍｍ進み、次に、垂直に下方向に３８ｍｍ±１ｍｍ進んだ切り欠き部に設けられる。さらにそこから外壁側水平方向に２２．５ｍｍ±１ｍｍ進み、そして最後にそこから垂直に上方向に３０ｍｍ±１ｍｍ進み、上端に至る切り欠きが設けられる。つまり２段の階段状切り欠きが設けられ１段目の垂直部分が内壁枠当接部３７ｈとされている。
そして１段目の水平部分からは幅４４ｍｍ±１ｍｍ×長さ３８ｍｍ±１ｍｍの板状の内壁枠取り付け部３８ｈが水平方向に立上がり、木製スタッド側面当接板部３１ｈ下部と３８ｈとでＬ字状になされ、また内壁枠取り付け部３８ｈには内壁固定用ビス穴が設けられている。３８ｈは木製スタッドとは３１ｈを挟んだ反対側つまり３２ｈと反対側にある。
【００５９】
また、天井梁用固定金具３０ｈの木製スタッド端縁当接部３６ｈ´と天井梁当接部３５ｈ´との間に位置する裏当て板部３２ｈは、木製スタッド２１ｍの外壁側側面（幅３８ｍｍ側）の延長上に位置し、木製スタッド２１ｍの外壁側側面に設けられる防水材を裏当てできる裏当て部３２ｈ´であり、防水材の裏当て部位である。
【００６０】
また、天井梁用固定金具３０ｈの天井梁当接板部３５ｈには天井梁１１ａとの間をボルト（不図示）で締結する２つの締結穴３４ｈを有する。
また、天井梁用固定金具３０ｈの天井当接板部３５ｈには天井梁１１ａとの間をボルト（不図示）で締結する２つの締結穴３４ｈを有する。
木製スタッド２１ｍの上端は，天井梁用固定金具３０ｈの木製スタッド端縁当接部３６ｈ´に当接して位置合わせ（位置出し）されている。木製スタッド２１ｍの側面と木製スタッド側面当接板部３１ｈとは当接しており、天井梁用固定金具３０ｈは４つの取り付け穴３３ｈから木ネジ３３により木製スタッド２１ｍに取り付けられている。
【００６１】
そして木製スタッド２１ｍの下端では、鋼製の床梁１１ｃの上フランジと床梁当接板部３５ｇと床梁当接板部３５ｇの締結穴３４ｇにより不図示のボルトにより締結される。    同様に木製スタッド２１ｍの上端では、鋼製の天井梁１１ａの下フランジと天井梁当接板部３５ｈとが天井梁当接板部３５ｈの2つ締結穴３４ｈにより不図示のボルトにより締結される。
【００６２】
次に建物ユニット１の床梁と天井梁に金具を介して内壁６１を取り付けた状態について図５と図６に基づき説明する。
図５は天井用固定金具３０の内壁枠部位置決め当接部（内壁枠当接部）３７ｈに内壁枠６１ｈを当接させて内壁位置決めの仕組みを示す説明図で、図６は建物ユニット１の天井梁１１ａと床梁１１ｃの間にスタッド２１及び外壁５１、内壁６１を取り付けた状態を示す断面図である。
【００６３】
図６において、スタッド２１は、木製スタッド２１ｍの下端に床梁用固定金具３０ｇ（木製スタッド用固定金具）が当接して取り付けられ、上端に天井用固定金具３０ｈ（木製スタッド用固定金具）が当接して取り付けられている。そして、床梁１１ｃの上フランジと床梁用固定金具３０ｇとが締結穴３４ｇを通したボルトにより締結されており、天井梁１１ａの下フランジと天井梁用固定金具３０ｈとが締結穴３４ｈを通したボルトにより締結されている。
スタッド２１の外側（外壁側）には防水材４１（不図示）及び外壁パネル５１が取り付けられている。
【００６４】
内壁パネルは内壁枠に石膏ボードを貼りつけた構成になっている。この内壁パネルの床梁側の内壁枠を床梁用固定金具３０ｇの内壁枠当接部３７ｇに当接し位置決めし、内壁枠取り付け部３８ｇのビス穴で固定するとともに、内壁パネルの天井梁側の内壁枠を天井梁用固定金具３０ｈの内壁枠当接部３７ｈに当接し位置決めし、内壁枠取り付け部３８ｈのビス穴で固定する。
このようにすると、内壁の奥行き方向の位置は、鋼製で寸法精度高い、建物ユニットの床梁、天井梁に当接させ締結されたスタッド２１の金属製の（木製スタッド用固定金具）の内壁枠当接部に当接することで位置決めがなされ、内壁枠が最後に内壁枠当接部に当接するまではすべて金属製材料により位置決めがなされるため、内壁の奥行き方向の高い精度が得られる。また内壁の位置が木製スタッドの吸湿等の寸法変化に影響されず、作業工数もよい。
【００６５】
以上、本発明を実施例により説明したが、本発明は上記実施例に限定されるものでなく本発明の要旨を逸脱しない範囲の設計変更等があっても本発明に含まれるのは勿論である。
例えば上記実施の形態は建物ユニットから構成されるユニット建物であったが、鋼製梁に木製スタッドを固定するものであれば、他の形式の建物であっても構わない。
【産業上の利用可能性】
【００６６】
鉄骨製建物における非耐力部材の木製スタッドを構成する場合、断熱性がよく、内壁の前後方向の出入り精度が優れ外観品質がよく、作業工数もよい木製スタッド用固定金具とそれを用いた建物ユニット及び建物に適用できる。
【図面の簡単な説明】
【００６７】
【図１】（イ）は建物ユニットの骨格を示す斜視図である。  （ロ）は、木製スタッドの取付状態を示す正面図である。  （ハ）は、木製スタッドの取付状態を示す側面図である。  （ニ）は天井用固定金具の取付状態を示す斜視図である。  （ホ）は天井用固定金具の斜視図である。  （ヘ）は床用固定金具の取付状態を示す斜視図である。  （ト）は床用固定金具の斜視図である。
【図２】（イ）、（ロ）、（ハ）は床梁用固定金具の斜視図である。  （二）は天井梁用固定金具の斜視図である。
【図３】木製スタッドの外側に防水材及び外壁パネルが取り付けられる状態を示す説明図である。
【図４】（イ）木製スタッドの取付状態を示す正面図である。  （ロ）木製スタッドの取付状態を示す側面図である。  （ハ）天井梁用固定金具を説明する斜視図である。  （ニ）床梁用固定金具を説明する斜視図である。
【図５】天井用固定金具の内壁枠部位置決め当接板部と内壁枠部が当接される状態を示す説明図である
【図６】建物ユニットの天井梁と床梁の間にスタッド及び外壁、内壁を取り付けた状態を示す断面図である
【符号の説明】
【００６８】
１  建物ユニット
１１              鋼製の梁
１１ａ〜１１ｄ    鋼製の梁
１２              鋼製の柱
２０、２１        スタッド
２０ｍ、２１ｍ    木製スタッド
３０              固定金具
３０ａ〜３０ｈ    木製スタッド用固定金具
３１ａ〜３１ｈ    木製スタッド側面当接板部（スタッド側面当接部）
３２ａ〜３２ｈ    防水材裏当て板部（裏当て部）
３３ａ〜３３ｈ    木製スタッド取り付け穴
３４ａ〜３４ｈ    締結穴
３５ａ〜３５ｈ    梁当接板部（梁当接部）
３６ａ〜３６ｈ    木製スタッド端縁当接板部（スタッド端縁当接部）
３７ｇ〜３７ｈ    内壁枠部位置決め当接部（内壁枠当接部）
３８ｇ〜３８ｈ    内壁枠取り付け部
４０、４１        防水材
５０、５１        外壁パネル
６０、６１        内壁パネル
６１ｇ〜６１ｈ    内壁枠
【図１】
2004245036.tif 000003
【図２】
2004245036.tif 000004
【図３】
2004245036.tif 000005
【図４】
2004245036.tif 000006
【図５】
2004245036.tif 000007
【図６】
2004245036.tif 000008